(57)【特許請求の範囲】
【請求項１】
半導体基板上に伝導配線を形成するための伝導配線マスクの製造方法において、
伝導配線を形成しようとする半導体基板の全領域に関する寸法・位置に関する全データを算出する第１段階と、
前記伝導配線に対する伝導配線パターンの寸法、形状及び位置を読み取って伝導配線データを生成し、これを記憶保存する第２段階と、
前記伝導配線データを所定寸法拡張して拡張伝導配線データを生成する第３段階と、
前記全データと前記拡張伝導配線データとの差分データを算出し、算出された前記差分データから、互いに所定の間隔をおいて離隔して配置される所定寸法の領域に分割された複数のダミー用伝導配線パターンデータを生成する第４段階と、
前記複数のダミー用伝導配線パターンデータに前記伝導配線データを加算して得られるデータに対応する寸法及び位置で形成されるパターンにより、クリアフィールド法を用いてマスクを形成する第５段階と、を含むことを特徴とする半導体装置の伝導配線マスクの製造方法。
【発明の詳細な説明】
【０００１】
【発明の属する技術分野】
本発明は半導体装置の伝導配線のためのマスクの製造方法に関するもので、特に、半導体基板上に形成されたそれぞれの素子を相互連結する伝導配線上部の層間絶縁膜に対する平坦化工程をより容易に行えるようにするに適した半導体装置の伝導配線マスクの製造方法に関するものである。
【０００２】
【従来の技術】
最近、半導体装置が大容量化及び高集積化するにつれて、半導体装置の面積は漸進的に縮小しており、それにより、半導体装置内の金属配線及びその配線幅が減少し、よって多層になった伝導配線が要求されている。
【０００３】
このような伝導配線を多層に構成するとともに、その大きさを最小化するためには、下部伝導配線の上部に形成される層間絶縁膜に対する平坦化が必然的に要求される。これは、上部伝導配線をパターニングするための感光膜の写真現像工程において焦点深度を改善するものであり、コンタクト（contact）を埋めるタングステンプラグの形成時、タングステンを蒸着し、ＣＭＰ（Chemical Mechanical Polishing）工程をうまく遂行するための必須条件となる。
【０００４】
一方、本発明に関連し、一般の半導体装置に対するマスクの製作過程について説明すると次のようである。
まず、形成しようとする回路のレイアウトを設計するにあって、回路のレイアウトは、回路の形成による電気的パラメータを発生する物理的な素子の諸元を算出することである。このレイアウト工程において、縦方向の寸法はＣＶＤとドーピングの厚さを決定し、横方向の寸法はウェーハのパターンサイズを決定し、複合図面と呼ばれる最終回路の縮小図面の基礎となる。
【０００５】
そして、レイアウトが完了された後には、半導体回路として描かれた図面を基にマスクを形成するべくデジタイジング（Digitizing）を行うことになる。すなわち、図面がコンピュータに連結されたＸ‐Ｙボードに載置され、カーソルが図面の各パターンの寸法、形状及び位置を読み取ってコンピュータに記憶させることになり、この情報はレチクルの製作又はE-beam駆動システムに使用される。
【０００６】
このようなデジタイジング過程が完了すると、マスクを形成するために、パターンをレチクルに正確に複写することになる。このレチクルはパターン形成器（Pattern Generator）の光が選択的に露出されたエマルション板又はクロム薄膜である。そして、このパターン形成器は光源とコンピュータにより調節される高速シャッターから構成され、パターンは、写真現像のように、レチクルの表面に透明地域と不透明地域として現像される。そして、このようなレチクルのパターンは、光源により、均一な薄膜に形成されたフォトレジストを施してあるマスクに転写される。
【０００７】
そして、前述したような過程を経て製作されたマスクを使用して半導体装置の伝導配線を形成することになるが、多層の伝導配線を形成するために、形成された伝導配線の上に更にほかの上部伝導配線を形成しようとする場合には、まず、上部伝導配線に先立ち、形成された伝導配線上に層間絶縁膜を形成した後、平坦化工程を遂行することになる。
【０００８】
一方、このような平坦化工程を行う際に、同一層内に形成された各配線間の間隔によって、平坦化工程の遂行可否を決定する。これについて、図４を参照して詳細に説明すると次のようである。
【０００９】
図４は従来の一般的な半導体装置における伝導配線を形成するために使用するマスクの一例を示すもので、従来の一般的な伝導配線用マスク４０には、ガラス基板４１上に形成しようとする伝導配線の形態によって、各伝導配線パターン（クロームパターン）４３が形成されており、このマスク４０を用いてパターニングを行うことにより、半導体基板に伝導配線を形成することになる。
【００１０】
図５（ａ）は、図４に示すマスクを用いて伝導配線を形成した後、上部伝導配線を形成するため、再び層間絶縁膜を形成した半導体装置の断面を示す図面である。つまり、半導体基板５１の上部に第１層間絶縁膜５２を形成した後、図４に示したマスク４０を用いて各伝導配線５３−１、５３−２、５３−３を第１層間絶縁膜５２の上に形成し、その上に第２層間絶縁膜５４を形成することにより、図５（ａ）に示すような形態を有する構造体が完成される。
【００１１】
このような過程が完了した状態で、第２層間絶縁膜５４の上にさらに上部伝導配線を形成するためには、必ず第２層間絶縁膜５４に対する平坦化工程を遂行する必要がある。図５（ｂ）は、同図（ａ）に示す構造体に対して平坦化のためのＣＭＰ工程を行って、第２層間絶縁膜５４を洗浄した状態を示す図面である。
【００１２】
図５（ａ）に示すように、従来の半導体装置に対する平坦化工程の前では、各伝導配線のなかで、最小間隔で離隔された伝導配線５３−１と、伝導配線５３−２との間、及び伝導配線５３−２と、伝導配線５３−３との間に夫々位置する領域の上部に位置した第２層間絶縁膜５４の部分は、ディッシング（dishing）が発生して、正常に平坦化がなされていない。
【００１３】
また、平坦化工程の後にも、図５（ｂ）に示すように、伝導配線５３−１と伝導配線５３−２との間では、ディッシングが平坦化工程で解消されているに対し、伝導配線５３−２、５３−３のように、伝導配線の間隔が大きい部分での層間絶縁膜５４は最上部の表面では段差が大きく、ＣＭＰ装備のパッドが接触しないので、この領域では層間絶縁膜５４の段差が残っている。このように、半導体チップ（半導体装置）内の伝導配線の密度と配列形態によって、層間絶縁膜を完全に平坦化することが非常に難しいという問題点があった。
【００１４】
一方、図６は、上述の方法とは異なる段差補償層を用いて半導体装置の平坦化を行う従来の更にほかの平坦化過程を説明するための図であり、前述したような従来の問題点を解決しようとするものである。
【００１５】
まず、図６（ａ）に示すように、半導体基板６１上に第１層間絶縁膜６２を形成した後、図４に示したようなマスクを用いて各伝導配線６３−１、６３−２、６３−３を形成し、その上に上部伝導配線を形成するために、それに先立ち、第２層間絶縁膜６４を形成する。  そして、第２層間絶縁膜６４の形成を完了した後、平坦化工程を遂行する前に、第２層間絶縁膜６４の段差を補償するため、図６（ａ）に示した段差部に、第２層間絶縁膜６４に重ねて段差補償層６５を形成する。
【００１６】
すなわち、第２層間絶縁膜６４は、前記のように伝導配線６３−２、６３−３の間の大きな離隔距離により段差が発生するという、図５（ｂ）に示したような平坦化の不良を防止するため、図６（ａ）に示した例では、伝導配線６３−１、６３−２、６３−３のうち、相対的に遠く離隔された伝導配線６３−２、６３−３間の第２層間絶縁膜６４の部分に、別途の工程により、段差補償層６５を更に形成する。
【００１７】
この際に、第２層間絶縁膜６４の上部に形成された段差補償層６５は、通常、平坦化工程を効率化するため、第２層間絶縁膜６４を形成する物質と同一材料の物質で形成する。
【００１８】
一方、前記のような過程により、図６（ａ）に示すような構造を有する構造体が形成されると、第２層間絶縁膜６４上に上部伝導配線を形成するための平坦化工程を遂行することになる。図６（ｂ）は、同図（ａ）に示した構造体に対する平坦化工程が完了した状態の構造体を示すものである。
【００１９】
すなわち、図５に示した場合とは異なり、第２層間絶縁膜６４の段差を、段差補償層６５を用いて補償した後に平坦化を行うと、図６（ｂ）に示すように、ディッシングを防止することができ、第２層間絶縁膜６４は、正常に平坦化される。
【００２０】
そして、更にほかの従来の方法として、図６に示した方法とは異なり、最初のマスクの製作時、ダミーパターンまで一度に形成し、このマスクを用いた半導体装置の伝導配線及びダミー配線を一つの工程で形成する方法がある。
【００２１】
しかし、前記のような従来の各伝導配線の形成方法を用いる場合、図５に示したような平坦化における欠陥を補償することはできるが、さらに追加される段差補償層６５を形成する工程、つまり、段差補償層６５を形成するためのマスク工程及びパターニング工程が付け加わることにより、半導体装置の生産性の低下を招くという問題点があった。
【００２２】
言い換えれば、前記のように、伝導配線のほかに、ダミー用配線を形成するため、レチクルの製作のための図面にダミー用配線のためのダミーパターンを更に描いて入れる作業が必要となり、かつ、伝導配線の形成のためのマスクにもダミーパターンを更に形成しなければならないため、マスクの製造費用及び労働力の損失が発生するという問題点があった。
【００２３】
【発明が解決しようとする課題】
本発明は前記問題点を解消するためになされたもので、半導体装置のマスクの製造工程で、離隔距離が大きい伝導配線のパターン間にダミー配線用パターンを形成する際に、実際のマスクにダミー配線用パターンを形成しないで、伝導配線に対するデータを用いてダミー配線用パターンを形成してマスクを製作することができる半導体装置の伝導配線マスクの製造方法を提供することにその目的がある。
【００２４】
【課題を解決するための手段】
前記目的を達成するための本発明の半導体装置の伝導配線マスクの製造方法は、半導体基板上に伝導配線を形成するための伝導配線マスクの製造方法において、伝導配線を形成しようとする半導体基板の全領域に関する寸法・位置に関する全データを算出する第１段階と、前記伝導配線に対する伝導配線パターンの寸法、形状及び位置を読み取って伝導配線データを生成し、これを記憶保存する第２段階と、前記伝導配線データを所定寸法拡張して拡張伝導配線データを生成する第３段階と、前記全データと前記拡張伝導配線データとの差分データを算出し、算出された前記差分データから、互いに所定の間隔をおいて離隔して配置される所定寸法の領域に分割された複数のダミー用伝導配線パターンデータを生成する第４段階と、前記複数のダミー用伝導配線パターンデータに前記伝導配線データを加算して得られるデータに対応する寸法及び位置で形成されるパターンにより、クリアフィールド法を用いてマスクを形成する第５段階と、を含む。
【００２６】
【発明の実施の形態】
以下、本発明の実施の形態について、好ましい実施例を基に、図面を参照しながら詳細に説明する。
【００２７】
本発明は、マスクの製造工程において、別途の付加工程なしに伝導配線に対するパターンを形成する際に、離隔距離の大きい各伝導配線のパターン間にダミー用パターンを共に形成し、このマスクを用いて伝導配線を形成することにより、半導体装置に対する平坦化工程を容易に行えるようにしたものである。
【００２８】
図１は本発明が適用される伝導配線の一例を示す図面であり、同図を参照して本発明による半導体装置の伝導配線マスクの製造方法について詳細に説明する。
【００２９】
図１（ａ）に示すような形態の伝導配線パターンを形成しようとする場合は、図１（ａ）に示したような形態のマスクが必要になる。このマスクを製作するため、まず、形成しようとする回路のレイアウトを構成し、このレイアウトを示す図面を用いてデジタイジングを行い、図１（ａ）に示した各伝導配線パターン１１−１、１１−２、１１−３の寸法、形状及び位置を把握することになる。
【００３０】
こうして把握された各伝導配線パターン１１−１、１１−２、１１−３の寸法及び位置に関する領域データをＡと仮定し、半導体装置（シリコン基板）の全領域に関する領域データをＣと呼ぶことにする。
【００３１】
一方、前記のような過程により、マスクに形成しようとする各伝導配線パターン１１−１、１１−２、１１−３に対する寸法及び位置に関する領域データＡが算出されると、本発明によるダミー用パターンを形成するため、まず、各伝導配線パターン１１−１、１１−２、１１−３に対するデータＡを所定寸法拡張させた後、図１ｂに示すような寸法及び形態で形成されるそれぞれの拡張伝導配線パターン２１−１、２１−２、２１−３を形成する。
【００３２】
すなわち、図１（ｂ）は、同図（ａ）に示した各伝導配線パターン１１−１、１１−２、１１−３を所定寸法拡張して形成した拡張伝導配線パターン２１−１、２１−２、２１−３を示すもので、ここでは、各拡張伝導配線パターン２１−１、２１−２、２１−３の寸法及び位置に関する領域データをＢと呼ぶことにする。
【００３３】
このような過程により、形成しようとする伝導配線パターン１１−１、１１−２、１１−３の寸法及び位置に関する領域データＡと拡張配線パターン２１−１、２１−２、２１−３の寸法及び位置に関する領域データＢ、そして、半導体装置の全領域に関する領域データＣが算出されると、算出されたそれぞれの領域データＡ、Ｂ、Ｃに基づいて、マスクを製作するためのパターンの形成工程（Pattern Generation Process）、つまりレチクルを製作することになる。
【００３４】
より詳細に説明すると、前記のように、本発明によるマスクの製造工程を行ってそれぞれの伝導配線とダミー用配線が共に形成されるようにするため、まず、パターンの形成工程を行うコンピュータの内部プログラム上で各領域データに関する（Ｃ−Ｂ）＋Ａに対する演算を行う。
【００３５】
つまり、半導体装置の全領域に関する領域データＣから各拡張伝導配線パターン２１−１、２１−２、２１−３に関する領域データＢを減算し、ダミー用パターンに関する領域データＤを算出した後、それに、各伝導配線に対する領域データＡを加えることになる。
【００３６】
したがって、前記（Ｃ−Ｂ）＋Ａに対する演算から得られるデータは、図２（ａ）に示すような形態の領域を表すデータ、つまり各伝導配線パターン１１−１、１１−２、１１−３に対する寸法及び位置を示す領域データＡとダミー用パターンに関する領域データＤが加算されて組み合わせられた形態の領域データとなる。
【００３７】
ここで、前記ダミー用パターンに関する領域データＤは、図２（ａ）に示すように、半導体装置の全領域に関する領域データＣから拡張伝導配線パターンに関する領域データＢを除いた残りの全データから構成することもでき、これとは異なり、図２（ｂ）に示すように、平坦化工程で正常の平坦化の遂行に影響を及ぼさない程度の寸法及び形状を有する複数の部分領域データを組み合わせて構成することもできる。
【００３８】
次いで、図２（ａ）又は図２（ｂ）に示すような領域に相当する領域データ（Ａ＋Ｄ）に基づいてレチクルを製作し、そのうえ、このレチクルを用いて伝導配線マスクを製作すると、図２（ａ）又は図２（ｂ）に示す形態と同一のマスク、つまり、それぞれの伝導配線パターンとダミー用パターンが同時に形成されたマスクが製作され、この際に、マスクの極性をクリアフィールド（clear field）、つまりマスクの製作過程で光を遮断するクロムがデータの存在領域に形成されるようにする方法を用いる。
【００３９】
また、これとは反対に、マスクの極性をダークフィールド（dark field）として各伝導配線に対するパターン及びダミー用パターンを形成しようとする場合、つまりマスクの製作過程で光を遮断するクロムがデータの不在領域に形成されるようにしようとする場合には、拡張伝導配線パターンに関する領域データＢから各伝導配線に関する領域データＡを除いた領域に関する領域データを算出してマスクを製作することになる。
【００４０】
一方、前記各方法は、半導体装置の製造過程で使用される感光膜が陽性である場合に対するものであり、仮に、感光膜が陰性である場合は、マスクの極性がそれぞれの方法で反対となる。
【００４１】
このような過程によりマスクの製作が完了されると、製作されたマスクを用いてシリコンの基板上に伝導配線を形成することになる。図３（ａ）は、図２（ａ）に示したような形態を有するマスクを使用して形成した伝導配線及びダミー配線を含む半導体構造物の断面図で、半導体基板３１、第１層間絶縁膜３２、第１、第２及び第３伝導配線３３−１、３３−２、３３−３、ダミー配線３４を含む。
【００４２】
次いで、図３（ａ）に示したような各伝導配線３３−１、３３−２、３３−３とダミー配線３４に対する形成過程（パターニング工程）が完了した後には、上部電極を形成するため、まず層間絶縁膜を形成することになる。図３（ｂ）は、同図（ａ）に示す伝導配線３３−１、３３−２、３３−３とダミー配線３４上に第２層間絶縁膜３５が形成された状態での半導体構造物の断面図である。
【００４３】
同図に示すように、伝導配線３３−１、３３−２、３３−３とダミー配線３４層上に形成された第２層間絶縁膜３５は、従来の方法による図５（ａ）と比較すると、第２層間絶縁膜３５の段差が殆ど発生しなくなる。
【００４４】
したがって、図３（ｂ）に示したような形態を有する半導体構造物に対して平坦化工程を行うと、同図（ｃ）に示すように、正常に平坦化がなされた半導体構造物が形成される。
【００４５】
【発明の効果】
以上説明したように、本発明は、半導体装置のマスク製造工程中、離隔距離の大きい伝導配線間にダミー配線用パターンを形成する際に、実際マスクにダミー配線用パターンを形成することなく、伝導配線に関するパターンデータを用いてダミー配線用パターンを形成することにより、ダミー配線用パターンを形成するための工程を簡素化することができ、ダミー配線用パターンのためのマスクの製造費用と労働力を節減し得る効果がある。
【図面の簡単な説明】
【図１】本発明に係る半導体装置の伝導配線マスクの製造方法が適用される伝導配線の一例を示す平面図
【図２】本発明に係る半導体装置の伝導配線マスクの製造方法の工程説明用平面図
【図３】本発明に係る伝導配線マスクを用いた半導体構造物の形成工程説明用縦断面図
【図４】従来の半導体装置の製造に使用されるパターンマスクの一例を示す構成説明図
【図５】従来の半導体装置の平坦化工程につき一例を説明する縦断面図
【図６】従来の半導体装置の平坦化工程につき他の例を説明する縦断面図
【符号の説明】
１１−１、１１−２、１１−３  伝導配線パターン
１２−１、２１−２、２１−３  拡張伝導配線パターン
３１    半導体基板
３２    第１層間絶縁膜
３３−１  第１伝導配線
３３−２  第２伝導配線
３３−３  第３伝導配線
３４    ダミー配線
３５    第２層間絶縁膜
４０    マスク
４１    ガラス基板
４３    伝導配線パターン
５１    半導体基板
５２    第１層間絶縁膜
５３−１、５３−２、５３−３  伝導配線
５４    第２層間絶縁膜
６１    半導体基板
６２    第１層間絶縁膜
６３−１、６３−２、６３−３  伝導配線
６４    第２層間絶縁膜
６５    段差補償層
【図１】
0004319342.tif 000002
【図２】
0004319342.tif 000003
【図３】
0004319342.tif 000004
【図４】
0004319342.tif 000005
【図５】
0004319342.tif 000006
【図６】
0004319342.tif 000007